(57)【要約】【課題】  遊技機の構成体の一部を配線ベース部材とし、その配線ベース部材に対し、内部に接続線が挿通された長尺の配線ダクト部材を容易に着脱することができる遊技機を提供する。【解決手段】  遊技機に配設される電気機器と回路基板、あるいは異なる回路基板１４０ａ、２２１同士を接続するための接続線２２５が、長尺の配線ダクト部材２３０の内部に挿通されて覆われる一方、遊技機の構成体６１の一部を配線ベース部材２６０とし、長尺の配線ダクト部材２３０が配線ベース部材２６０に装着される。【選択図】        図１８
2005312939.tif 000002
【特許請求の範囲】
【請求項１】
遊技機に配設される電気機器と回路基板、あるいは異なる回路基板同士を接続するための接続線が、長尺の配線ダクト部材の内部に挿通される一方、前記遊技機の構成体の一部を配線ベース部材とし、前記長尺の配線ダクト部材が前記配線ベース部材に装着されるように構成されたことを特徴とする遊技機。
【発明の詳細な説明】
【技術分野】
【０００１】
この発明は、遊技機に関し、球（パチンコ球）を用いて遊技を行う遊技機（例えば、パチンコ機）やメダルを用いて遊技を行う遊技機（例えば、スロットマシン）に関する。
【背景技術】
【０００２】
遊技機に配設される電気機器と回路基板、あるいは異なる回路基板同士を接続するための多数本の接続線に、異物に引っかかり、あるいは接続線が損傷される虞がある場合には、接続線を整然と配線して保護する対策が講じられる。例えば、球タンク、球払出装置等が装着される機構板に配線収納溝を凹設し、その配線収納溝内に多数本の接続線を束ねて収納した後、配線収納溝の開口部にカバー体（押え部材）を取り付けて配線収納溝を塞ぐように構成したものが知られている（例えば、特許文献１）。
【特許文献１】特開平７ー２３６７５２号公報
【発明の開示】
【発明が解決しようとする課題】
【０００３】
ところで、特許文献１においては、機構板に凹設された配線収納溝の側壁に複数の係止孔が形成され、これら複数の係止孔に対し、カバー体（押え部材）の側壁外面に形成された複数の係止片を弾性変形させながら押し込んで係合させることによって、配線収納溝を塞ぐようにしてカバー体を取り付けるようになっている。
このため、配線収納溝に収納されている接続線の保守・点検等に際し、カバー体を取り外す場合、複数の係止片と係止孔とが係合した状態でカバー体を強引に引き出すと、大きい引出力が必要となるとともに、ときには係止片が折損される。
また、配線収納溝の側壁とカバー体の側壁との間にドライバー等の工具を差し込んで配線収納溝の側壁を強制的に拡開させた状態で複数の係止片と係止孔との係合を外すことは可能であるが、その作業は厄介で多くの手間や時間が必要となる、という問題点があった。
【０００４】
この発明の目的は、前記従来の問題点に鑑み、遊技機の構成体の一部を配線ベース部材とし、その配線ベース部材に対し、内部に接続線が挿通された長尺の配線ダクト部材を容易に着脱することができる遊技機を提供することである。
【課題を解決するための手段】
【０００５】
前記目的を達成するために、請求項１の発明に係る遊技機は、
「遊技機に配設される電気機器と回路基板、あるいは異なる回路基板同士を接続するための接続線が、長尺の配線ダクト部材の内部に挿通されて覆われる一方、前記遊技機の構成体の一部を配線ベース部材とし、前記長尺の配線ダクト部材が前記配線ベース部材に装着されるように構成された遊技機であって、
前記配線ダクト部材と前記配線ベース部材との両部材うち、一方の部材には、他方の部材に形成された係止部に挿入されて一方向に相対的にスライドされることで同係止部に係合する係合片が形成され、
前記配線ダクト部材と前記配線ベース部材の相互には、前記係合片と前記係止部とが一方向に相対的にスライドされて係合したときに弾性的に係合しかつ前記スライド方向と逆方向の前記配線ダクト部材の移動を阻止するロック部と弾性ロック片とがそれぞれ設けられていることを特徴とする遊技機。」
を要旨とするものである。
【０００６】
前記構成において、配線ベース部材に対し配線ダクト部材を装着する場合、配線ベース部材に配線ダクト部材を近づけてこれら両部材に形成された係止部に係合片を挿入した後、配線ダクト部材を一方向にスライドさせることで、係止部と係合片とが係合するとともに、ロック部に弾性ロック片が弾性的に係合し、これによって、配線ベース部材に配線ダクト部材が容易に装着される。
また、配線ベース部材に装着された配線ダクト部材を取り外す場合、弾性ロック片を弾性変形させてロック部との係合を外した（ロック解除した）後、配線ダクト部材を逆方向にスライド動作させ、配線ベース部材に対し配線ダクト部材を遠ざけることで、係止部から係合片が引き出され、これによって、配線ベース部材から配線ダクト部材が容易に取り外される。
【０００７】
請求項２の発明に係る遊技機は、
「請求項１に記載の遊技機であって、
弾性ロック片は、ロック部に対し外れる方向に同弾性ロック片を弾性変形させてロック解除するためのロック解除用の操作部を有していることを特徴とする遊技機。」
を要旨とするものである。
【０００８】
前記構成において、配線ベース部材に装着された配線ダクト部材を取り外す場合において、ロック解除用の操作部によって弾性ロック片をロック解除方向に容易に弾性変形させることができ、配線ダクト部材の取り外し作業をより一層容易に行うことができる。
【０００９】
請求項３の発明に係る遊技機は、
「請求項１又は２に記載の遊技機であって、
配線ベース部材は、金属板によって形成されるとともに、係止部を構成する係止孔と、ロック部を構成するロック孔とが打ち抜き加工によって形成され、
配線ダクト部材は、合成樹脂材の成形品によって構成されるとともに、係合片と、弾性ロック片とがそれぞれ一体成形され、
前記係合片は、前記係止孔に掛け止めされて係止される略鉤形状に形成され、
前記弾性ロック片は、その先端部に突起部を一体に有し、
前記係合片が前記係止孔に挿入されて一方向に相対的にスライドされるときには、前記弾性ロック片が弾性的に撓んだ状態でその突起部が前記配線ベース部材に沿って滑走し、
前記係合片が前記係止孔に掛け止めされて係合したときには、前記弾性ロック片の弾性変形に基づく弾発力によってその突起部が前記ロック孔に突入されてそのロック孔の孔縁に係合する構成にしてあることを特徴とする遊技機。」
を要旨とするものである。
【００１０】
前記構成において、金属板によって形成される配線ベース部材に対し、係止部を構成する係止孔と、ロック部を構成するロック孔とを打ち抜き加工によって容易に形成することができる。
また、合成樹脂材の成形品によって構成される配線ダクト部材には、その成形と同時に係合片と、弾性ロック片とをそれぞれ一体成形することができる。
特に、弾性ロック片は、その先端部に突起部を一体に有し、係合片が係止孔に挿入されて一方向に相対的にスライドされるときには、弾性ロック片が弾性的に撓んだ状態でその突起部が配線ベース部材に沿って滑走する。そして、係合片が係止孔に掛け止めされて係合したときには、弾性ロック片の弾性変形に基づく弾発力によってその突起部がロック孔に突入されてそのロック孔の孔縁に確実に係合する。このため、配線ベース部材に対し、配線ダクト部材を装着状態に確実にロックすることができる。
また、配線ベース部材は、合成樹脂製のものと比べ強度を充分に確保しながら板厚寸法が小さい（薄い）金属板によって形成することができる。
そして、配線ベース部材の板厚寸法が小さい分だけ、配線ベース部材の係止孔に掛け止めされて係止される係合片の突出量を小さくすることができる。これによって、係合片自体の強度を高めることが可能となり、ひいては、配線ベース部材に対する配線ダクト部材の装着力を高めることが可能となる。
【００１１】
請求項４の発明に係る遊技機は、
「請求項３に記載の遊技機であって、
配線ダクト部材は、少なくともその長手方向の両端部近傍の２箇所に係合片が形成され、中間部に弾性ロック片が形成されていることを特徴とする遊技機。」
を要旨とするものである。
【００１２】
前記構成において、長尺の配線ダクト部材の少なくとも長手方向の両端部近傍の２箇所に形成された係合片が配線ベース部材の係止孔にそれぞれ掛け止めされて係止され、中間部の弾性ロック片が配線ベース部材のロック孔の孔縁に係合することで、配線ベース部材に対し長尺の配線ダクト部材を浮き上がることなく良好に装着することができる。
【００１３】
請求項５の発明に係る遊技機は、
「請求項１〜４のいずれか一項に記載の遊技機であって、
配線ダクト部材は、配線ベース部材に対向する側が開口された横断面略コの字状に形成されていることを特徴とする遊技機。」
を要旨とするものである。
【００１４】
前記構成において、配線ダクト部材には、その前側開口部から複数本の接続線を容易に挿通することができる。すなわち、配線ダクト部材が閉じ断面の筒状に形成されると、接続線の端末部に端末コネクタが設けられている場合には、その端末コネクタの挿通が厄介となったり、あるいは端末コネクタが挿通不能となる場合があるが、配線ダクト部材が横断面略コの字状に形成されることで、その開口部から接続線を容易に挿通することができる。
【００１５】
請求項６の発明に係る遊技機は、
「請求項１〜５のいずれか一項に記載の遊技機であって、
配線ベース部材は、遊技機のガラス扉の構成体である金属板よりなる扉本体フレームの一部でかつ透明な窓板が着脱可能に装着されるガラス枠の側枠部の外側に形成され、
配線ダクト部材は、前記ガラス枠の側枠部の外側に沿って接近しかつ前記配線ベース部材の後面に係合片と係止部との係合並びにロック部と弾性ロック片との係合によって固定されていることを特徴とする遊技機。」
を要旨とするものである。
【００１６】
前記構成において、ガラス扉の構成体である金属板よりなる扉本体フレームの一部でかつ透明な窓板が着脱可能に装着されるガラス枠の側枠部の外側に配線ベース部材が形成され、ガラス枠の側枠部の外側に存在するスペースを利用して配線ベース部材の後面に、配線ダクト部材を装着することができる。
【００１７】
請求項７の発明に係る遊技機は、
「請求項６に記載の遊技機であって、
係合片は、配線ダクト部材のガラス枠と反対側の側壁において、配線ベース部材の後面に沿って前記側壁に形成された当接縁から前記配線ベース部材の係合部に向けて係脱可能に突出して形成され、
弾性ロック片は、前記当接縁の外側から張り出して形成されていることを特徴とする遊技機。」
を要旨とするものである。
【００１８】
前記構成において、ガラス枠の側枠部に向かう配線ダクト部材の傾き（回動）を、同ガラス枠の側枠部に当接することで阻止することができるとともに、反対方向に向かう配線ダクト部材の傾き（回動）を、配線ベース部材の後面に沿って形成された当接縁と、その当接縁の外側から張り出して形成された弾性ロック片によって阻止することができる。このため、配線ベース部材の後面に配線ダクト部材を安定よく装着することができる。
【発明の効果】
【００１９】
この発明によれば、配線ベース部材に対し配線ダクト部材を装着する場合、配線ベース部材に配線ダクト部材を近づけて係止部に係合片を挿入した後、配線ダクト部材を一方向にスライド動作させる簡単な操作によって、係止部に係合片が係合するとともに、ロック部に弾性ロック片が弾性的に係合するため、配線ベース部材に配線ダクト部材を容易に装着することができる。
また、配線ベース部材に装着された配線ダクト部材を取り外す場合、弾性ロック片を弾性変形させてロック部との係合を外した後、配線ダクト部材を前記とは逆方向にスライド動作させて配線ベース部材に対し配線ダクト部材を遠ざけるという簡単な操作によって、配線ベース部材に配線ダクト部材を容易に取り外すことができる。
【発明を実施するための最良の形態】
【００２０】
次に、この発明を実施するための最良の形態を実施例にしたがって説明する。
【００２１】
図１は遊技機の外枠の一側に本体枠が開かれその本体枠の一側にガラス扉が開かれた状態を示す斜視図である。図２は遊技機の前側全体を示す正面図である。図３は遊技機を斜め右上前方から示す斜視図である。図４はガラス扉と音響電飾ユニットとを分離して斜め左上前方から示す斜視図である。図５はガラス扉と音響電飾ユニットとを分離して斜め左上後方から示す斜視図である。図６は音響電飾ユニットの構成部材を分離して示す斜視図である。図７は音響電飾ユニットの平断面図である。図８はユニット本体のスピーカ収納体にスピーカが装着された状態を拡大して示す平断面図である。図９はガラス扉全体を示す背面図である。図１０はガラス扉を斜め左上後方から示す斜視図である。図１１は図９のＸＩ−ＸＩ線に基づくガラス扉の音響用通路を示す平断面である。図１２は図９のＸＩＩ−ＸＩＩ線に基づく上皿装置と上皿用球誘導部材との関係を示す側断面図である。図１３は上皿用球誘導部材を後側から示す斜視図である。図１４は上皿用球誘導部材を前側から示す斜視図である。図１５はガラス扉のガラス枠とガラス押え部材とを分離して示す斜視図である。図１６は図９のＸＶＩ−ＸＶＩ線に基づくガラス押え部材の断面図である。図１７はガラス枠、ガラス押え部材及び配線ダクト部材の関係を破断して示す説明図である。図１８はガラス枠、ガラス押え部材及び配線ダクト部材の関係を分離して示す斜視図である。図１９は扉本体フレームに配線ダクト部材が装着された状態を示す縦断面図である。図２０は配線ダクト部材の弾性ロック片を拡大して示す側断面図である。図２１は図１９のＸＸＩ−ＸＸＩ線に基づく配線ダクト部材の平断面図である。図２２は図１９のＸＸＩＩ−ＸＸＩＩ線に基づく配線ダクト部材の平断面図である。図２３は図１９のＸＸＩＩＩ−ＸＸＩＩＩ線に基づく配線ダクト部材の平断面図である。図２４は図１９のＸＸＩＶ−ＸＸＩＶ線に基づく配線ダクト部材の平断面図である。なお、説明の便宜上、遊技機において遊技者側を前、反対側を後として説明する。
【００２２】
［遊技機の概要について］
図１〜図３に示すように、遊技機としてのパチンコ機は、外枠１０、本体枠２０、遊技盤４１、ガラス扉６０等を備えて構成されている。
外枠１０は、上下左右の枠材によって縦長四角形の枠状に形成され、同外枠１０の前側下部には、本体枠２０の下面を受ける下受板１５を有している。
外枠１０の前面の一側には、本体枠開閉用ヒンジ機構１９によって本体枠２０が前方に開閉可能に装着されている。
【００２３】
また、本体枠２０は、前枠体２１、遊技盤装着枠４０及び機構装着体５０を合成樹脂材によって一体成形することで構成されている。
本体枠２０の前側に形成された前枠体２１は、外枠１０前側の下受板１５を除く外郭形状に対応する大きさの矩形枠状に形成されている。
【００２４】
［遊技盤について］
図１に示すように、本体枠２０の前枠体２１の後部に一体に形成された遊技盤装着枠４０には遊技盤４１が前方から着脱交換可能に装着されるようになっている。
遊技盤４１の盤面（前面）には、外レールと内レールとを備えた案内レール４２が設けられ、その案内レール４２の内側に遊技領域４３が区画形成されている。
遊技盤４１には、その遊技領域４３内において、遊技に関する役物装置、例えば、センタ役物と呼ばれる役物装置４４が装着されている。また、役物装置４４の役物本体４５には、その中央部に形成された開口部に表示面を臨ませて図柄表示装置（例えば、液晶表示器、ＥＬ表示器，プラズマ表示器，ＣＲＴ等）４６が装着されている。また、遊技盤４１の盤面（前面）の遊技領域４３内には図示しない入賞器、風車器、誘導釘、ランプ装飾部材等の各種の装備品が配設されている。
【００２５】
図１に示すように、本体枠２０の前枠体２１の前側において、遊技盤装着枠４０よりも下方に位置する前枠体２１の前下部領域の一側寄りには、スピーカ装着部材３０を介してスピーカ（この実施例では低音用スピーカ）３３が装着されている。
また、前枠体２１前面の下部領域内の上側部分には、遊技盤４１の発射通路に向けて球を導く発射レール２２が傾斜状に装着されている。
また、前枠体２１前面の下部領域内の下側部分には、下前面部材２３が装着されている。下前面部材２３の前面の略中央部には、下皿２４が設けられ、片側寄りには操作ハンドル２８が設けられている。
【００２６】
また、この実施例において、図３に示すように、下皿２４の底板の略中央部には球落下孔２５が形成され、その球落下孔２５の下側には同球落下孔２５を開閉する開閉シャッタ２６が配設されている。
また、下皿２４の前壁部の左右方向中央部の下半部には、逆Ｕ字状に切り欠れた切欠部２４ａが形成され、その切欠部２４ａには、押し込み操作によって開閉シャッタ２６を開閉動作させる操作ボタン２７が、その前面を下皿２４の前壁部の前面と略同一面をなして装着されている。このようにして、下皿２４の前壁部の切欠部２４ａに操作ボタン２７が押し込み操作可能に装着されることで、遊技者はその指先を操作ボタン２７の前面に当てて押し込む操作時に、その指先が他の部分、例えば下皿２４の前壁部に当たることなく容易に押し込み操作して開閉シャッタ２６を開閉することができる。
【００２７】
［施錠装置について］
図１に示すように、本体枠（前枠体２１）２０のヒンジ機構と反対側に自由端側の後側には、外枠１０に対し本体枠２０を施錠する機能と、本体枠２０に対し後に詳述するガラス扉６０を施錠する機能とを兼ね備えた施錠装置５２が装着されている。
すなわち、施錠装置５２は、外枠１０に設けられた閉止具１７に係脱可能に係合して本体枠２０を閉じ状態に施錠する上下複数の本体枠施錠フック５３と、後述するガラス扉６０の自由端側の後側に設けられた閉止具６３に係脱可能に係合してガラス扉６０を閉じ状態に施錠する上下複数の扉施錠フック５４とを備えている。
そして、シリンダー錠５５の鍵穴に鍵が挿入されて一方向に回動操作されることで本体枠施錠フック５３と外枠１０の閉止具１７との係合が外れて本体枠２０が解錠され、これとは逆方向に回動操作されることで、扉施錠フック５４とガラス扉６０の閉止具６３との係合が外れてガラス扉６０が解錠されるようになっている。
なお、シリンダー錠５５の前端部は、遊技機の前方から鍵を挿入して解錠操作可能に、前枠体２１及び下前面部材２３を貫通してその下前面部材２３の前面に露出されている。
【００２８】
［ガラス扉の概要について］
図１〜図３に示すように、本体枠（前枠体２１）２０の前面の一側には、扉開閉用ヒンジ機構５１によってガラス扉６０が前方に開閉可能に装着されている。
図３と図４に示すように、ガラス扉６０は、扉本体フレーム６１、サイド装飾装置７０、上皿装置６５、音響電飾ユニット８０を備えて構成されている。
また、扉本体フレーム６１は、プレス加工された単数または複数の金属板よりなる金属製フレーム構成部材によって形成され、本体枠２０の前枠体２１の上端から下部前面板５１の上縁にわたる部分を覆う大きさに形成されている。
扉本体フレーム６１の略中央部には、遊技盤４１の遊技領域３３を前方から透視可能な略円形の開口窓６２が形成されている。
【００２９】
［ガラス扉の前側構成について］
図３と図４に示すように、扉本体フレーム６１の前側には、その開口窓６２の周囲において、上部に後述する音響電飾ユニット８０が装着され、左右両側部にサイド装飾装置７０が装着され、下部に上皿装置６５が装着されている。
サイド装飾装置７０は、ランプ基板が内部に配置されかつ合成樹脂材により形成されたサイド装飾体７１を主体として構成されている。このサイド装飾体７１には横方向に長いスリット状の開口孔が上下方向に複数配列されており、その開口孔には、ランプ基板に配置された光源に対応するレンズ７３が組み込まれている。
また、上皿装置６５は、多数個の球を保留しその球を整列させてその最前端の球を発射レール２２の球発射位置に供給するためのものであり、図３、図４及び図１２に示すように、扉本体フレーム６１の前側下部に装着された合成樹脂製の上皿取付基板６６と、その上皿取付基板６６の前側に装着された合成樹脂製の上皿体６７及び上皿外ケース６８とを備えている。
【００３０】
［ガラス扉の音響用通路について］
図９〜図１１に示すように、扉本体フレーム６１の下部には、本体枠２０側のスピーカ（低音用スピーカ）３３の前方に対応する位置において切欠部６１ａが形成され、その切り欠き部に臨む上皿取付基板６６の部分には、多数の通過孔６６ａが貫設されている。
一方、図１１に示すように、上皿外ケース６８の内部には、多数の通過孔６６ａに後端部が連通する音響用通路６９が区画形成されている。
さらに、図４と図１１に示すように、上皿外ケース６８の下部の左右方向略中央部には、音響用通路６９の前端部を開口する複数のスリット状の開口孔６８ａが形成されている。
したがって、本体枠２０側のスピーカ３３が発する音が、多数の通過孔６６ａ、音響用通路６９及び複数のスリット状の開口孔６８ａを順に通して外部に放出される。このため、本体枠２０側のスピーカ３３が発する音が「こもる」という不具合を防止することができる。
【００３１】
［扉本体フレームの接触回避孔について］
図９と図１０に示すように、扉本体フレーム６１の所定位置には、左右のサイド装飾装置７０のサイド装飾体７１の内部に配置された電機部品、例えば、サイドランプ基板７５との電気的な接触を回避するための接触回避孔６４が適宜に貫設されている。これによって、金属製の扉本体フレーム６１が原因となる漏電事故（ショート）を未然に防止するようになっている。
【００３２】
［ガラス扉の音響電飾ユニットについて］
図４と図５に示すように、音響電飾装置を構成するトップランプユニットとしての音響電飾ユニット８０は、１つにユニット化されて扉本体フレーム６１の前側上部にビス７９によって装着されている。
図６と図７に示すように、音響電飾ユニット８０は、その本体部をなすユニット本体８１を主体として構成されている。
ユニット本体８１は、合成樹脂材によって形成されるとともに、ガラス扉６の略全幅にわたる長さ寸法を有する横長状に形成されている。
さらに、ユニット本体８１は、左右の一対のスピーカ収納体９０、中央部のリフレクタ体１００、及び左右のサイドリフレクタ体１３０を一体に備え、その周壁部８２の後側には、同周壁部８２がなす開口部を覆うようにして背面カバー体１５０が装着されている。
そして、ユニット本体８１の左右一対のスピーカ収納体９０には、スピーカ９７が装着され、同ユニット本体８１と背面カバー体１５０との間には、光源１１１を有するランプ基板１１０が配設されている。これによってユニット化された音響電飾ユニット８０が構成される。
【００３３】
この実施例において、図７と図８に示すように、左右の両スピーカ収納体９０は、前後方向に延びる筒状に形成され、これら両スピーカ収納体９０の筒内には後方からスピーカカバー９５及びスピーカ（この実施例では中高音用スピーカ）９７が順に嵌込まれるスピーカ装着孔９３が形成されている。
また、スピーカ装着孔９３の前開口部近傍には、スピーカカバー９５のカバー周縁部９６に当接する支持縁９４が形成されている。なお、スピーカカバー９５を廃止したり、あるいは、スピーカカバー９５をスピーカ収納体９０の前側から装着する構成にした場合には、スピーカ９７の前側の周縁フランジ９９をスピーカ装着孔９３の支持縁９４に当接させるようにすればよい。
【００３４】
図６〜図８に示すように、一対のスピーカ収納体９０の間に一体に形成されたリフレクタ体１００には、椀形状に凹まされ複数の椀形状反射面１０１が横方向に一部重なり合うようにして配列されて形成されている。また、複数の椀形状反射面１０１を含むリフレクタ体１００の表面には、真空蒸着加工、スパッタリング加工等によって金属薄膜層が施されている。
また、図６〜図８に示すように、複数の椀形状反射面１０１は、周方向及び半径方向に略蜘蛛の巣形状の境界線をもって連続する多数の略平坦状の分割反射面１０３によって構成されている。
また、この実施例において、図８に示すように、椀形状反射面１０１の半径方向及び周方向においては、傾斜面をなす分割反射面１０３ａの部分と垂直面をなす分割反射面１０３ｂの部分とが交互に形成されている。
【００３５】
図７と図８に示すように、複数の椀形状反射面１０１の各中心部には中心孔が貫設され、リフレクタ体１００の後側には、各中心孔にそれぞれ対応する位置に、単数、又は複数のランプ、ＬＥＤ等よりなる光源１１１が配設されたランプ基板１１０が装着されている。
また、複数の椀形状反射面１０１の各中心孔には、各光源１１１が発する光を椀形状反射面１０１に向けて反射させる光反射体１２０が配置されている。
【００３６】
この実施例において、各中心孔に対応する光源１１１は、複数（例えば、４つ）のＬＥＤにより構成されている。さらに、複数のＬＥＤは同一円周上に配置されるとともに、これら複数のＬＥＤは、青色のＬＥＤと、赤色のＬＥＤとが周方向に交互に配設されている。
また、図８に示すように、光反射体１２０は、透明な合成樹脂材によって形成され、前部に光反射部１２１を有し、後部にランプ基板１１０の複数のＬＥＤの周縁部を取り囲んで覆う大径の筒部１２３が段差部をもって一体に形成されている。
【００３７】
すなわち、図８に示すように、光反射体１２０の光反射部１２１は、椀形状反射面１０１の中心孔の後側開口部から嵌挿されてかつ段差部が中心孔の後側周縁部に当接した状態で所定量だけ前方に突出する円柱状（又は三角柱、四角柱、多角柱等の角柱状）に形成されるとともに、その突出端面の周縁部から後端面近傍に向けて略円錐状（又は角錐状）に凹まされて凹部１２１ａが形成されている。これによって、光反射部１２１は、その凹部１２１ａの周囲において傾斜状の内反射面を有して断面略三角形状をなすプリズム体を構成している。以下、光反射部１２１をプリズム体１２１ともいう。
また、光反射体１２０の段差部が中心孔の後側周縁部に当接した状態において、同光反射体１２０の筒部１２３の端面はランプ基板１１０の前面に近接又は当接されることによって、ランプ基板１１０とリフレクタ体１００との間に光反射体１２０が保持されるようになっている。
【００３８】
また、この実施例において、図６〜図８に示すように、左右一対のスピーカ収納体９０の両サイド部には、サイドリフレクタ体１３０がユニット本体８１と一体に形成されている。これら両サイドリフレクタ体１３０は、前述した中央部のリフレクタ体１００と略同様にして、多数の分割反射面１３３によって構成される椀形状反射面１３１が上下に配列され、その椀形状反射面１３１の中心孔には光反射体１４５が配置され、後側には光源１４１としてのＬＥＤが配設された左右の両ランプ基板１４０が装着されている。
【００３９】
また、この実施例において、左右の両ランプ基板１４０のうち、図６に向かって右側のランプ基板１４０ａは中継基板を兼用している。
すなわち、図８に示すように、右側の中継基板兼用のランプ基板１４０ａには、本体枠２０側（遊技盤４１の後側）に配置された制御基板（図示しない）に一端が接続された接続線２２５の端末コネクタ２２６が接続されている。そして、中継基板兼用のランプ基板１４０ａと中央部のランプ基板１１０とが接続線によって電気的に接続され、中央部のランプ基板１１０と左側のランプ基板１４０ｂとが接続線によって電気的に接続される。
また、右側の中継基板兼用のランプ基板１４０ａと右側のスピーカ９７、左側のランプ基板１４０ｂと左側のスピーカ９７が接続線によって電気的に接続されるようになっている。
【００４０】
図６〜図８に示すように、ユニット本体８１の周壁部８２の後側開口部には、同開口部を塞ぐようにして背面カバー体１５０が装着されている。
背面カバー体１５０の内壁面には、左右一対のスピーカ９７の後端部が嵌込まれる嵌込部１５５が環状に突設されている。
また、両嵌込部１５５の突出端には、スピーカ９７の周縁フランジ９９の後側を前方に向けて押し付けて同スピーカ９７の周縁フランジ９９を介してスピーカカバー９５のカバー周縁部９６をスピーカ装着孔９３の支持縁９４に当接状態に保持する複数の押え体１５６が一体に形成されている。
すなわち、ユニット本体８１の左右の一対のスピーカ収納体９０のスピーカ装着孔９３の後方からスピーカカバー９５とスピーカ９７とが順次に嵌込まれた後、ユニット本体８１の後側に背面カバー体１５０がビス等によって装着されることによって、スピーカ装着孔９３の支持縁９４と、背面カバー体１５０の押え体１５６との協働によってスピーカ９７及びスピーカカバー９５が固定されるようになっている。
【００４１】
また、図６〜図８に示すように、背面カバー体１５０には、ランプ基板１１０の後面に向けて突出しかつ突出端がランプ基板１１０の後面に当接する２つの仕切壁１５８が形成されている。そして、左右一対のスピーカ９７の後側には、背面カバー体１５０、仕切壁１５８、ランプ基板１１０及びユニット本体８１の周壁部８２によって囲まれた状態でかつスピーカ９７に対応する容積をもつ音響空間１６０が閉鎖状態でかつ左右に区画された状態で構成されている。
すなわち、この実施例において、背面カバー体１５０に対する２つの仕切壁１５８の配設位置を適宜に設定することによって、左右の両スピーカ９７に対応する容積をもつ音響空間１６０がそれぞれ個別に区画形成されるようになっている。
【００４２】
また、図８に示すように、背面カバー体１５０には、中継基板兼用のランプ基板１４０ａの後面に突設された基板コネクタ１４８を後方に露出するための開口孔１５０ａが貫設されている。
そして、後述する配線ダクト部材２３０に挿通されてその配線ダクト部材２３０の上端から突出された複数本の接続線２２５の端末コネクタ２２６が中継基板兼用のランプ基板１４０ａの基板コネクタ１４８に差し込まれるようになっている（図５参照）。
【００４３】
また、この実施例において、図５と図６に示すように、ユニット本体８１の前側には、一対のスピーカ収納体９０の前側部分を除くユニット本体８１の略全体を被うようにして透明（無色透明）な合成樹脂材より形成された前カバー体１７０が装着されている。そして、前カバー体１７０によって、中央部のリフレクタ体１００と左右の両サイドリフレクタ体１３０が保護されるとともに外観意匠が高められている。なお、前カバー体１７０は必ずしも必要ではなく、前カバー体１７０を廃止した構成にすることも可能である。
【００４４】
［ガラス扉の後側のガラス枠及びガラス押え部材について］  
図９と図１０に示すように、扉本体フレーム６１の後側には、その開口窓６２の外側において底枠部１８１と左右の両側枠部１８２とを備えて略Ｕ字枠状をなすガラス枠１８０が一体状に形成されている。
図１２、図１５及び図１８に示すように、ガラス枠１８０には、前後２枚のガラス板、透明樹脂板等の窓板１８５が上方から差し込まれて着脱可能に装着される前後の嵌込み溝１８３が形成されている。
【００４５】
図９と図１０に示すように、ガラス枠１８０の左右の両側枠部１８２の上端部に跨って、前後２枚の窓板１８５の上端を押える合成樹脂製のガラス押え部材１９０が着脱可能に装着されている。
図１５に示すように、ガラス押え部材１９０は、左右一対の差込片１９３、ガタ防止片１９５、操作用摘み部１９８等を一体に備えて形成されている。
【００４６】
特に、この実施例において、ガラス押え部材１９０は、左右の両側枠部１８２の間の最大幅寸法を越えることがない程度の長さ寸法内において長尺に形成されている。
図１５、図１７及び図１８に示すように、ガラス押え部材１９０の長手方向両端部には、左右の両側枠部１８２の上端部内側に弾性変形して差し込まれる左右一対の差込片１９３が下向きに突設され、これら差込片１９３の外側面には、左右の両側枠部１８２の前後の嵌込み溝１８３の中間部に位置して形成された係止孔１８４に係合する抜止片１９４が突設されている。
【００４７】
図１５と図１６に示すように、ガラス押え部材１９０の前後両側部には、前後２枚の窓板１８５の上端面に接近又は当接するフランジ状の押え部１９２が形成されている。さらに、ガラス押え部材１９０の左右部には、前後２枚の窓板１８５の間に差し込まれかつこれら両窓板１８５の相対する面にそれぞれ弾性的に圧接することで、前後方向のガタツキを防止する左右各一対のガタ防止片１９５が下向きに突設されている。
また、ガラス押え部材１９０には、その撓みを防止するための箱形状をなす中央補強部１９６と左右方向に伸びる補強リブ１９７とがそれぞれ形成されている。
また、押え本体１９１の長手方向両端部寄り上面には、左右一対の操作用摘み部１９８が上方に向けて突設されてている。
【００４８】
前記したように、ガラス押え部材１９０は、その長手方向両端部の左右一対の差込片１９３が、ガラス枠１８０の左右の両側枠部１８２の上端部内側に沿って弾性変形されて差し込まれることで、これら差込片１９３の抜止片１９４が係止孔１８４に係合し、これによって左右の両側枠部１８２の上端部に跨って装着されるようになっている（図１７参照）。
【００４９】
ガラス押え部材１９０の装着状態において、そのガラス押え部材１９０は、ガラス枠１８０の左右の両側枠部１８２の間の最大幅寸法を越えることがない程度の長さ寸法内に収められる。このため、ガラス枠１８０の左右の両側枠部１８２の外側部分において、所要とする部材が配設可能となっている。
この実施例においては、ガラス枠１８０の左右の両側枠部１８２のうち、ヒンジ側と反対側の自由端側に位置する側枠部１８２の外側に沿って、ガラス押え部材１９０が妨害物となることなく、後述する配線ダクト部材２３０が配設可能となっている。
【００５０】
［ガラス扉の上皿用球誘導部材について］
図９と図１０に示すように、ガラス扉６０の下部のヒンジ寄り部分には、本体枠２０側に配置の球払出装置（図示しない）から払い出された球を上皿装置６５の上皿体６７に誘導するための合成樹脂製の上皿用球誘導部材２００が装着されている。
図１２〜図１４に示すように、上皿用球誘導部材２００は、その前側部に前誘導筒２０１が、後側に後誘導筒２０２が連通状に形成されている。そして、後誘導筒２０２の後端部は、球払出装置の払出口に連通状に臨み、前誘導筒２０１の前端部は、図に示すように、上皿取付基板６６に形成された上皿用球放出口６６ｂに連通状に臨んでいる。
【００５１】
図１３と図１４に示すように、上皿用球誘導部材２００の前誘導筒２０１と後誘導筒２０２との境界部の外周には、本体枠２０側（遊技盤４１の後側）の制御基板（図示しない）と、ガラス扉６０の下部の左右方向の略中央部に配置された扉中継基板２２１とを電気的に接続するための複数本の接続線２２０を押えるために、左右方向に長い四角形状のフランジ体２０５が形成されている。
【００５２】
また、この実施例において、図１３と図１４に示すように、上皿用球誘導部材２００のフランジ体２０５の一側縁には前方に向けて略垂直状に張り出す側壁部２０６が形成され、同フランジ体２０５の上縁部には前方に向けて略水平状に張り出す上壁部２０８が形成されている。
さらに、側壁部２０６の上端部には、上壁部２０８の下方に沿って挿通された複数の接続線２２０が扉中継基板２２１に向けて挿通される配線用挿通部２０７が切り欠き状に形成されている。
【００５３】
すなわち、本体枠２０側（遊技盤４１の後側）の制御基板（図示しない）に一端部が接続された複数本の接続線２２０の他端部は、上皿用球誘導部材２００のフランジ体２０５の上壁部２０８の下面に沿って挿通されかつ側壁部２０６の上端部の切り欠き状の配線用挿通部２０７に挿通されて扉中継基板２２１に接続されるようになっている。
そして、横長のフランジ体２０５によって複数本の接続線２２０が押えられることで所定の配線状態で保持されるようになっている（図１０参照）。
このようにして、上皿用球誘導部材２００のフランジ体２０５によって複数本の接続線２２０を押えることで、専用の押え部材を製作して組み付ける手間を省くことができ、この分だけ部品点数や組付工数を削減してコスト低減を図ることができる。
【００５４】
［上皿用球誘導部材の保護板について］
図１２と図１４に示すように、合成樹脂製の上皿用球誘導部材２００と合成樹脂製の上皿取付基板６６との間には、これら両部材に連通状に形成された前誘導筒２０１と上皿用球放出口６６ｂとを保護するための保護板２１０が配設されている。
この保護板２１０は、耐熱性を有する材料、例えば金属製板材の折り曲げ加工によって略逆Ｕ字に形成されるとともに、前誘導筒２０１及び上皿用球放出口６６ｂの上部及び左右両側部を覆う上板部２１１と両側板部２１２とを備えている。
すなわち、保護板２１０が配設されていない場合、加熱された棒状部材によって前誘導筒２０１あるいは上皿用球放出口６６ｂの上部や側部に孔が不測に明けられ、その孔から異物が不測に侵入されて不正行為がなされる場合がある。
これに対し、前記したように、金属製の保護板２１０によって合成樹脂製の前誘導筒２０１及び上皿用球放出口６６ｂの上部及び左右両側部を覆って保護することによって、異物の不測の侵入を金属製の保護板２１０によって止めることができ、不正行為を防止することができる。
【００５５】
［ガラス扉の配線ダクト部材について］
図９と図１０に示すように、ガラス扉６０の扉本体フレーム６１の後面の自由端側に位置する部分で、かつ透明な窓板１８５が着脱可能に装着されるガラス枠１８０の側枠部１８０の外側部分において、扉本体フレーム６１の一部によって配線ベース部材２６０が形成されている。
また、複数本の接続線２２５は、その各一端部が、ガラス扉６０の下部の扉中継基板２２１に接続され、他端部がガラス扉６０の前側上部に配置された音響電飾ユニット８０の中継基板兼用のランプ基板１４０ａに接続されるようになっている。そして、配線ダクト部材２３０は、その内部の配線用空間部２３０ａに複数本の接続線２２５を挿通して覆った状態で配線ベース部材２６０に装着されるようになっている。
また、この実施例において、配線ダクト部材２３０は、ガラス枠１８０の左右の両側枠部１８２のうち、自由端側に位置する側枠部１８２の外側に沿って接近して装着されている。
【００５６】
図１８〜図２２に示すように、配線ダクト部材２３０は、合成樹脂材の成型品によって一体成形され、ガラス枠１８０の側枠部１８２に対応する長さ寸法をもって上下方向に長尺状に形成されるとともに、前方に開口する配線用空間部２３０ａを構成する左右の両側壁部２３１、２３２と後壁部２３３とを備えて横断面略コの字状に形成されている。そして、配線ダクト部材２３０の配線用空間部２３０ａには、その前側開口部から複数本の接続線２２５が容易に挿通できるように構成されている。
すなわち、配線ダクト部材２３０が閉じ断面の筒状に形成されると、接続線２２５の端末コネクタ２２６が挿通できないことがある。これに対し、配線ダクト部材２３０が横断面略コの字状に形成されることで、その配線用空間部２３０ａの前側開口部から複数本の接続線２２５を容易に挿通できるようになっている。
【００５７】
また、図２１に示すように、外側に位置する側壁部２３１の前端には、扉本体フレーム６１の配線ベース部材２６０の後面に当接する当接縁２３５が張り出し状に一体成形されている。
一方、ガラス枠１８０の側枠部１８２側に位置する側壁部２３２は、外側の側壁部２３１よりもその前後方向の寸法が小さく形成され、その側壁部２３２の前端にはガラス枠１８０の側枠部１８２の前後の嵌込み溝１８３の間に形成された凹部の前側壁に接近あるいは当接する当接縁２３６が張り出し状に形成される。
【００５８】
図１８、図１９及び図２３に示すように、配線ダクト部材２３０の外側の側壁部２３１の当接縁２３５の少なくとも長手方向の両端部近傍（上下両端部近傍）には、扉本体フレーム６１の配線ベース部材２６０の上下部に貫設された係止孔２６１に掛け止めされて係合する鉤形状（下向きＬ字状）の係合片２３７が一体成形されている。
また、配線ベース部材２６０の上下の係止孔２６１は、上半部に幅広の挿入部分２６２を、下半部に幅狭の係止部分２６３を連通状に備えている。そして、配線ダクト部材２３０の上下の係合片２３７が、係止孔２６１の後方からその幅広の挿入部分２６２に挿入された後、配線ダクト部材２３０が一方向（下方）にスライドされることで、上下の係止片２３７が係止孔２６１の幅狭の係止部分２６３に係合するようになっている。
【００５９】
また、図１８、図１９及び図２４に示すように、配線ダクト部材２３０の外側の側壁部２３１の当接縁２３５の上部寄り部分には、配線ダクト部材２３０の上下の係合片２３７が係止孔２６１の幅狭の係止部分２６３に係合する位置までスライドされたときに、扉本体フレーム６１の配線ベース部材２６０に貫設されたロック孔２６５に弾性的に係合して、配線ダクト部材２３０の逆方向（上方）のスライド（移動）を阻止する突起部２３９を先端部に有する弾性ロック片２３８が一体成形されている。
図２０に示すように、弾性ロック片２３８の先端部近傍の配線ベース部材２６０の後面に対向する側には、ロック面２３９ａと傾斜面２３９ｂを有して断面略三角形状なす突起部２３９が突設され、その突起部２３９の上端のロック面２３９ａは、配線ベース部材２６０の係止孔２６１の孔縁（上縁）２６５ａに略平行しかつスライド方向に略直交する方向に形成されている。
さらに、弾性ロック片２３８は、配線ダクト部材２３０の上下の係合片２３７が係止孔２６１の幅狭の係止部分２６３に係合する方向にスライドされるときには、同弾性ロック片２３８が弾性的に撓んだ状態でその突起部２３９が配線ベース部材２６０の後面に接して滑走し、係合片２３７が係止孔２６１の幅狭の係止部分２６３に掛け止めされて係合したときには、弾性ロック片２３８の弾性変形に基づく弾発力によってその突起部２３９がロック孔２６５に突入され、その突起部２３９のロック面２３９ａがロック孔２６５の孔縁（上縁）２６５ａに係合することで、配線ダクト部材２３０の逆方向（上方）のスライド（移動）を阻止するようになっている。
【００６０】
また、この実施例において、図２０に示すように、弾性ロック片２３８の先端部には、その突起部２３９がロック孔２６５から抜け出て外れる方向に同弾性ロック片２３８を弾性変形させてロック解除するためのロック解除用の操作部２３８ａが設けられている。
ロック解除用の操作部２３８ａにおいて、弾性ロック片２３８の先端部のうち、配線ベース部材２６０の後面と対向する側において、弾性ロック片２３８の先端部（突起部２３９の根元部近傍）から先端に向けて肉厚がしだいに減小されて傾斜面２３８ｂが形成され、その傾斜面２３８ｂと配線ベース部材２６０の後面との間には指先（又はドライバーのような工具の先端部）が挿入可能な隙間Ｓが形成され、これによって、ロック解除用の操作部２３８ａが設けられている。
【００６１】
また、この実施例において、図１０、図１８及び図２２に示すように、配線ダクト部材２３０の上下方向の複数箇所には、その後壁部２３３から両側壁部２３１、２３２の一部にわたる部分と、両側壁部２３１、２３２の当接縁２３５、２３６の部分とが除去されて結束部２４０が形成されている。そして、各結束部２４０の周囲に結束ベルト２５０が巻き付けられることで、配線ダクト部材２３０の配線用空間部２３０ａに挿通された複数本の接続線２２５が結束されるようになっている。
【００６２】
なお、結束ベルト２５０は、市販のものを用いることが可能であり、筒状をなし、かつ筒内に弾性変形可能なロック爪を有する本体部２５１と、その本体部２５１から一体に延出された長尺ベルト状をなすベルト部２５２とを備えている。
また、結束ベルト２５０の本体部２５１のロック爪と、ベルト部２５２の長手方向に形成された複数のロック歯は、ベルト部２５２の締め付け方向の移動は許容し反対方向（緩む方向）への移動は阻止する、いわゆるワンウエーの噛み合い構造を有している。
【００６３】
［この実施例の作用効果について］
上述したように構成されるこの実施例において、配線ダクト部材２３０を用いてガラス枠１８０の自由端側に位置する側枠部１８２の外側に沿って複数本の接続線２２５を配線する場合、まず、配線ダクト部材２３０の前側開口部から配線用空間部２３０ａ内に複数本の接続線２２５を挿通してから、配線ダクト部材２３０の上下複数の結束部２４０に結束ベルト２５０を巻き付けて配線ダクト部材２３０の配線用空間部２３０ａ内に複数本の接続線２２５を結束する。
【００６４】
次に、配線ダクト部材２３０の上下の係合片２３７を、扉本体フレーム６１の配線ベース部材２６０の係止孔２６１の後方からその幅広の挿入部分２６２に挿入した後、配線ダクト部材２３０を下方にスライドさせて上下の係合片２３７を係止孔２６１の幅狭の係止部分２６３に係合させる。
配線ダクト部材２３０が下方にスライドされるときには、弾性ロック片２３８が弾性的に撓んだ状態でその突起部２３９が配線ベース部材２６０の後面に接して滑走する。
そして、係合片２３７が係止孔２６１の幅狭の係止部分２６３に掛け止めされて係合したときには、弾性ロック片２３８の弾性変形に基づく弾発力によってその突起部２３９がロック孔２６５に突入されてそのロック孔２６５の孔縁２６５ａに係合する。
これによって、ガラス枠１８０の自由端側に位置する側枠部１８２の外側に沿って複数本の接続線２２５が配線ダクト部材２３０に収納された保護された状態で配線される。
【００６５】
前記したように、配線ベース部材２６０に対し配線ダクト部材２３０を装着する場合、配線ベース部材２６０に配線ダクト部材２３０を近づけて、これら両部材に形成された係止孔２６１に係合片２３７を挿入した後、配線ダクト部材２３０を一方向にスライドさせることで、係止部としての係止孔２６１に係合片２３７が係合するとともに、ロック部としてのロック孔２６５に弾性ロック片２３８が弾性的に係合し、これによって、配線ベース部材２６０に配線ダクト部材２３０を容易に装着することができる。
【００６６】
また、配線ベース部材２６０に装着された配線ダクト部材２３０を取り外す場合、弾性ロック片２３８を弾性変形させてロック孔２６５との係合を外してロック解除した後、配線ダクト部材２３０を逆方向にスライド動作させ、配線ベース部材２６０に対し配線ダクト部材２３０を後方に移動して遠ざけることで、係止孔２６１から係合片２３７が引き出され、これによって、配線ベース部材２６０から配線ダクト部材２３０が容易に取り外される。
【００６７】
この実施例において、弾性ロック片２３８に設けられたロック解除用の操作部２３８ａを後方に引き出し操作することで、弾性ロック片２３８をロック解除方向に容易に弾性変形させることができ、配線ダクト部材２３０の取り外し作業をより一層容易に行うことができる。
また、図２０に示すように、弾性ロック片２３８の先端部のうち、配線ベース部材２６０と対向する側において先端部近傍から先端に向けて肉厚がしだいに減小されて傾斜面２３８ｂが形成され、その傾斜面２３８ｂと配線ベース部材２６０の後面との間には指先（またはドライバーのような工具の先端部）が挿入可能な隙間Ｓが形成され、これによって、ロック解除用の操作部２３８ａが設けられている。
このため、ロック解除用の操作部２３８ａに異物が当たって不測にロック解除されることを防止することができる。すなわち、弾性ロック片２３８から大きくはみ出してロック解除用の操作部が形成されると、そのロック解除用の操作部に異物が当たって不測にロック解除される場合があるが、弾性ロック片２３８の先端部の傾斜面２３８ｂと隙間Ｓによってロック解除用の操作部２３８ａを形成することで、ロック解除用の操作部に異物が当たって不測にロック解除されることを良好に防止することができる。
【００６８】
また、この実施例において、金属板によって形成される配線ベース部材２６０に対し、係止部を構成する係止孔２６１と、ロック部を構成するロック孔２６５とを打ち抜き加工によって容易に形成することができる。
また、合成樹脂材の成形品によって構成される配線ダクト部材２３０には、その成形と同時に係合片２３７と、弾性ロック片２３８とをそれぞれ一体成形することができる。
特に、弾性ロック片２３８は、その先端部に突起部２３９を一体に有し、係合片２３７が係止孔２６１に挿入されて一方向に相対的にスライドされるときには、弾性ロック片２３８が弾性的に撓んだ状態でその突起部２３９が配線ベース部材２６０に沿って滑走する。そして、係合片２３７が係止孔２６１に掛け止めされて係合したときには、弾性ロック片２３８の弾性変形に基づく弾発力によってその突起部２３９がロック孔２６５に突入されてそのロック孔２６５の孔縁（上縁）２６５ａに確実に係合する。このため、配線ベース部材２６０に対し、配線ダクト部材２３０を装着状態に確実にロックすることができる。
【００６９】
また、配線ベース部材２６０は、合成樹脂材によって形成した場合と比較して強度を充分に確保しながら板厚寸法が小さい（薄い）金属板によって形成することができる。
そして、配線ベース部材２６０の板厚寸法が小さい分だけ、配線ベース部材２６０の係止孔２６１に掛け止めされて係止される係合片２３７の突出量を小さくして係合片２３７自体の強度を高めることが可能となる。ひいては、配線ベース部材２６０に対する配線ダクト部材２３０の装着力を高めることが可能となる。
【００７０】
また、この実施例において、長尺の配線ダクト部材２３０の少なくとも長手方向（この実施例では上下方向）の両端部近傍の２箇所に形成された係合片２３７が配線ベース部材２６０の係止孔２６１にそれぞれ掛け止めされて係止される。そして、中間部に形成された弾性ロック片２３８の突起部２３９が配線ベース部材２６０のロック孔２６５の孔縁２６５ａに係合することで、配線ベース部材２６０の後面に対し長尺の配線ダクト部材２３０を浮き上がることなく良好に装着することができる。
【００７１】
また、この実施例において、配線ダクト部材２３０は、配線ベース部材２６０に対向する側が開口された横断面略コの字状に形成されているため、配線ダクト部材２３０には、その開口部から複数本の接続線２２５を容易に挿通することができる。すなわち、配線ダクト部材２３０が閉じ断面の筒状に形成されると、接続線２２５の端末部に端末コネクタ２２６が設けられている場合には、その端末コネクタ２２６の挿通が厄介となったり、あるいは端末コネクタ２２６が挿通不能となる場合があるが、配線ダクト部材２３０が横断面略コの字状に形成されることで、その開口部から接続線２２５を容易に挿通することができる。
【００７２】
また、この実施例において、ガラス扉６０の構成体である金属板よりなる扉本体フレーム６１の一部でかつ透明な窓板１８５が着脱可能に装着されるガラス枠１８０の側枠部１８２の外側に配線ベース部材２６０が形成され、ガラス枠１８０の側枠部１８２の外側に存在するスペースを利用して配線ベース部材２６０の後面に、配線ダクト部材２３０を装着することができる。
【００７３】
また、この実施例において、配線ダクト部材２３０に対し、同配線ダクト部材２３０がガラス枠１８０の側枠部１８２に向かって傾く（回動する）方向に外力が作用したときには、その配線ダクト部材２３０の傾き（回動）が、ガラス枠１８０の側枠部１８２に当接することで阻止されるとともに、配線ダクト部材２３０が前記とは反対方向に傾く（回動する）方向に外力が作用したときには、その反対方向に向かう配線ダクト部材２３０の傾き（回動）が、配線ベース部材２６０の後面に沿って形成された当接縁２３５と、その当接縁２３５の外側から張り出して形成された弾性ロック片２３８によって阻止される。このため、配線ベース部材２６０の後面に配線ダクト部材２３０を安定よく装着することができる。
【００７４】
［この発明の他の実施例について］
なお、この発明は前記実施例に限定するものではない。
例えば、前記実施例においては、遊技機としてのパチンコ機の本体枠（前枠体２１）２０の前面の一側には、扉開閉用ヒンジ機構５１によってガラス扉６０が開閉可能に装着され、そのガラス扉６０の後側に設けられた扉本体フレーム６１の後面の自由端側に位置する部分で、かつ透明な窓板１８５が着脱可能に装着されるガラス枠１８０の側枠部１８２の外側部分において、扉本体フレーム６１の一部によって配線ベース部材２６０が形成される場合を例示したが、例えば、合成樹脂製の本体枠（前枠体２１）２０の一部によって配線ベース部材が形成されたり、あるいは、後側に球タンク、球払出装置等が装着される合成樹脂製の機構装着体（機構板、裏機構板等と呼ばれることもある）５０の一部によって配線ベース部材が形成される場合においてもこの発明を実施することができる。
【００７５】
また、複数本の接続線２２５としては、各種の電気機器（ランプ、モータ、ソレノイド、スピーカ等の電気機器）と、その電気機器を制御する回路基板とを接続する場合や、回路基板同士を接続する場合がある。
また、長尺の配線ダクト部材２３０上下方向（縦方向）に配置されたり、横方向に配置される場合がある。
また、前記実施例においては、配線ベース部材２６０に係止部としての係止孔２６１と、ロック部としてのロック孔２６５とが形成され、長尺の配線ダクト部材２３０に係合片２３７と弾性ロック片２３８とが形成される場合を例示したが、例えば、配線ベース部材２６０に係合片２３７と弾性ロック片２３８とが形成され、長尺の配線ダクト部材２３０に係止部としての係止孔２６１と、ロック部としてのロック孔２６５とが形成される場合においてもこの発明を実施することができる。さらに、配線ベース部材２６０に係止部としての係止孔２６１と弾性ロック片２３８とが形成され、長尺の配線ダクト部材２３０に係合片２３７とロック部としてのロック孔２６５とが形成される場合においてもこの発明を実施することができる。
また、係合片２３７に対する係止部は、孔（係止孔２６１）以外の構造であってもよく、例えば凹部や切り欠き部等によって形成してもこの発明を実施することができ、また、弾性ロック片２３８に対応するロック部においても、孔以外の構造、例えば凹部や切り欠き部等によって形成してもこの発明を実施することができる。
また、遊技機としては、パチンコ機の他、パチンコ機に類する遊技機やスロットマシン等があり、これら各種の遊技機においてこの発明を実施することができる。
【図面の簡単な説明】
【００７６】
【図１】この発明の実施例に係る遊技機の外枠の一側に本体枠が開かれその本体枠の一側にガラス扉が開かれた状態を示す斜視図である。
【図２】同じく遊技機の前側全体を示す正面図である。
【図３】同じく遊技機を斜め右上前方から示す斜視図である。
【図４】同じくガラス扉と音響電飾ユニットとを分離して斜め左上前方から示す斜視図である。
【図５】同じくガラス扉と音響電飾ユニットとを分離して斜め左上後方から示す斜視図である。
【図６】同じく音響電飾ユニットの構成部材を分離して示す斜視図である。
【図７】同じく音響電飾ユニットの平断面図である。
【図８】同じくユニット本体のスピーカ収納体にスピーカが装着された状態を拡大して示す平断面図である。
【図９】同じくガラス扉全体を示す背面図である。
【図１０】同じくガラス扉を斜め左上後方から示す斜視図である。
【図１１】同じく図９のＸＩ−ＸＩ線に基づくガラス扉の音響用通路を示す平断面である。
【図１２】同じく図９のＸＩＩ−ＸＩＩ線に基づく上皿装置と上皿用球誘導部材との関係を示す側断面図である。
【図１３】同じく上皿用球誘導部材を後側から示す斜視図である。
【図１４】同じく上皿用球誘導部材を前側から示す斜視図である。
【図１５】同じくガラス扉のガラス枠とガラス押え部材とを分離して示す斜視図である。
【図１６】同じく図９のＸＶＩ−ＸＶＩ線に基づくガラス押え部材の断面図である。
【図１７】同じくガラス枠、ガラス押え部材及び配線ダクト部材の関係を破断して示す説明図である。
【図１８】同じくガラス枠、ガラス押え部材及び配線ダクト部材の関係を分離して示す斜視図である。
【図１９】同じく扉本体フレームに配線ダクト部材が装着された状態を示す縦断面図である。
【図２０】同じく配線ダクト部材の弾性ロック片を拡大して示す側断面図である。
【図２１】同じく図１９のＸＸＩ−ＸＸＩ線に基づく配線ダクト部材の平断面図である。
【図２２】同じく図１９のＸＸＩＩ−ＸＸＩＩ線に基づく配線ダクト部材の平断面図である。
【図２３】同じく図１９のＸＸＩＩＩ−ＸＸＩＩＩ線に基づく配線ダクト部材の平断面図である。
【図２４】同じく図１９のＸＸＩＶ−ＸＸＩＶ線に基づく配線ダクト部材の平断面図である。
【符号の説明】
【００７７】
２０  本体枠
６０  ガラス扉
６１  扉本体フレーム
１４０ａ  中継基板兼用のランプ基板（回路基板）
１８０  ガラス枠
１８２  側枠部
２２１  扉中継基板（回路基板）
２２５  接続線
２３０  長尺の配線ダクト部材
２３０ａ  配線用空間部
２３７  係合片
２３８  弾性ロック片
２３９  突起部
２６０  配線ベース部材
２６１  係止孔（係止部）
２６２  幅広の挿入部分
２６３  幅狭の係止部分
２６５  ロック孔（ロック部）
２６５ａ  孔縁
【図１】
2005312939.tif 000003
【図２】
2005312939.tif 000004
【図３】
2005312939.tif 000005
【図４】
2005312939.tif 000006
【図５】
2005312939.tif 000007
【図６】
2005312939.tif 000008
【図７】
2005312939.tif 000009
【図８】
2005312939.tif 000010
【図９】
2005312939.tif 000011
【図１０】
2005312939.tif 000012
【図１１】
2005312939.tif 000013
【図１２】
2005312939.tif 000014
【図１３】
2005312939.tif 000015
【図１４】
2005312939.tif 000016
【図１５】
2005312939.tif 000017
【図１６】
2005312939.tif 000018
【図１７】
2005312939.tif 000019
【図１８】
2005312939.tif 000020
【図１９】
2005312939.tif 000021
【図２０】
2005312939.tif 000022
【図２１】
2005312939.tif 000023
【図２２】
2005312939.tif 000024
【図２３】
2005312939.tif 000025
【図２４】
2005312939.tif 000026